【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
前記ビデオデータの現在ブロックについて、３つの色値を有するエントリを含む単一のパレットテーブルを導出することと、ここにおいて、前記現在ブロックは、４：２：２または４：２：０サブサンプリングでルーマ成分およびクロマ成分を含む、
前記単一のパレットテーブルに基づいて前記現在ブロック中のピクセルが復号されるべきでないと決定することと、
前記単一のパレットテーブルに基づいて復号されるべきでない前記ビデオデータの前記現在ブロック中の前記ピクセルが、ルーマ成分およびクロマ成分を含むか、前記ルーマ成分を含み、前記クロマ成分のいずれをも含まないかを決定することと、
前記現在ブロック中の前記ピクセルが、前記ルーマ成分および前記クロマ成分を含むか、前記ルーマ成分を含み、前記クロマ成分のいずれをも含まないかの前記決定に基づいて、ビットストリームからパースすべき色値の数を決定することと、
前記ビットストリームからパースすべき色値の前記数の前記決定に基づいて、前記ビデオデータの前記現在ブロック中の前記ピクセルを復号することと
を備える、方法。
【請求項２】
前記現在ブロックのルーマ成分と前記現在ブロックのクロマ成分との間の位相整合を決定すること
をさらに備え、
ここにおいて、前記現在ブロック中の前記ピクセルが、前記ルーマ成分および前記クロマ成分を含むか、前記ルーマ成分を含み、前記クロマ成分のいずれをも含まないかを決定することは、前記決定された位相整合に基づいて、前記現在ブロック中の前記ピクセルが、前記ルーマ成分および前記クロマ成分を含むか、前記ルーマ成分を含み、前記クロマ成分のいずれをも含まないかを決定することを備える、
請求項１に記載の方法。
【請求項３】
前記ピクセルが第１のピクセルを備え、前記方法が、
前記ビデオデータの前記現在ブロック中の第２のピクセルが、前記ルーマ成分および前記クロマ成分を含むか、前記ルーマ成分を含み、前記クロマ成分のいずれをも含まないかを決定することと、
前記現在ブロック中の前記第２のピクセルが、前記ルーマ成分および前記クロマ成分を含むか、前記ルーマ成分を含み、前記クロマ成分のいずれをも含まないかの前記決定に基づいて、前記単一のパレットテーブルから取り出すべき色値の数を決定することと、  取り出すべき色値の前記数の前記決定に基づいて、前記ビデオデータの前記現在ブロック中の前記第２のピクセルをパレットモード復号することと
をさらに備える、請求項１に記載の方法。
【請求項４】
取り出すべき色値の前記数を決定することは、前記現在ブロック中の前記第２のピクセルが前記ルーマ成分および前記クロマ成分を含むという前記決定に基づいて、３つの色値が前記単一のパレットテーブルから取り出されるべきであると決定することを備え、ここにおいて、前記現在ブロック中の前記第２のピクセルをパレットモード復号することが、前記単一のパレットテーブルから前記３つの色値を取り出すことと、前記３つの色値の各々を前記第２のピクセルのそれぞれのルーマ成分およびクロマ成分に割り当てることとを備える、請求項３に記載の方法。
【請求項５】
取り出すべき色値の前記数を決定することは、前記現在ブロック中の前記第２のピクセルが前記ルーマ成分のみを含み、前記クロマ成分のいずれをも含まないという前記決定に基づいて、前記単一のパレットテーブルのエントリ中の前記３つの色値のうちの単一の色値のみが前記単一のパレットテーブルから取り出されるべきであると決定することを備え、ここにおいて、前記現在ブロック中の前記第２のピクセルをパレットモード復号することが、前記単一のパレットテーブルから前記単一の色値を取り出すことと、前記単一の色値を前記第２のピクセルの前記ルーマ成分に割り当てることとを備える、請求項３に記載の方法。
【請求項６】
前記単一の色値が、前記３つの色値のうちの第１の識別された色値を備える、請求項５に記載の方法。
【請求項７】
前記ビットストリームからパースすべき色値の前記数を決定することは、前記現在ブロック中の前記ピクセルが前記ルーマ成分および前記クロマ成分を含むという前記決定に基づいて、３つの色値が前記ビットストリームからパースされるべきであると決定することを備え、前記現在ブロック中の前記ピクセルを復号することは、前記ビットストリームから前記３つの色値を取り出すことと、前記３つの色値の各々を、前記ピクセルのそれぞれのルーマ成分およびクロマ成分に割り当てることとを備える、請求項１に記載の方法。
【請求項８】
前記ビットストリームからパースすべき色値の前記数を決定することは、前記現在ブロック中の前記ピクセルが前記ルーマ成分のみを含み、前記クロマ成分のいずれをも含まないという前記決定に基づいて、単一の色値のみが前記ビットストリームからパースされるべきであると決定することを備え、前記現在ブロック中の前記ピクセルを復号することは、前記ビットストリームから前記単一の色値を取り出すことと、前記単一の色値を、前記ピクセルの前記ルーマ成分に割り当てることとを備える、請求項１に記載の方法。
【請求項９】
前記単一のパレットテーブル中の１つのエントリを識別する単一のインデックスを受信すること
をさらに備え、
ここにおいて、取り出すべき色値の前記数を決定することは、前記現在ブロック中の前記第２のピクセルが前記ルーマ成分および前記クロマ成分を含むかどうかの前記決定に基づいて、前記単一のパレットテーブル中の前記識別されたエントリから取り出すべき色値の前記数を決定することを備える、
請求項３に記載の方法。
【請求項１０】
実行されたとき、ビデオデータを復号するためのデバイスの１つまたは複数のプロセッサに、請求項１〜９のいずれか一項に記載の方法を行わせる、命令を記憶した非一時的コンピュータ可読記憶媒体。
【請求項１１】
ビデオデータを復号するためのデバイスであって、前記デバイスは、
前記ビデオデータの現在ブロックについて、３つの色値を有するエントリを含む単一のパレットテーブルを導出するための手段と、ここにおいて、前記現在ブロックは、４：２：２または４：２：０サブサンプリングでルーマ成分およびクロマ成分を含む、
前記単一のパレットテーブルに基づいて前記現在ブロック中のピクセルが復号されるべきでないと決定するための手段と、
前記単一のパレットテーブルに基づいて復号されるべきでない前記ビデオデータの前記現在ブロック中の前記ピクセルが、ルーマ成分およびクロマ成分を含むか、前記ルーマ成分を含み、前記クロマ成分のいずれをも含まないかを決定するための手段と、
前記現在ブロック中の前記ピクセルが、前記ルーマ成分および前記クロマ成分を含むか、前記ルーマ成分を含み、前記クロマ成分のいずれをも含まないかの前記決定に基づいて、ビットストリームからパースすべき色値の数を決定するための手段と、
前記ビットストリームからパースすべき色値の前記数の前記決定に基づいて、前記ビデオデータの前記現在ブロック中の前記ピクセルを復号するための手段と
を備える、デバイス。
【請求項１２】
前記現在ブロックのルーマ成分と前記現在ブロックのクロマ成分との間の位相整合を決定するための手段
をさらに備え、
ここにおいて、前記現在ブロック中の前記ピクセルが、前記ルーマ成分および前記クロマ成分を含むか、前記ルーマ成分を含み、前記クロマ成分のいずれをも含まないかを決定するための前記手段は、前記決定された位相整合に基づいて、前記現在ブロック中の前記ピクセルが、前記ルーマ成分および前記クロマ成分を含むか、前記ルーマ成分を含み、前記クロマ成分のいずれをも含まないかを決定するための手段を備える、
請求項１１に記載のデバイス。
【請求項１３】
パースすべき色値の前記数を決定するための前記手段は、前記現在ブロック中の前記ピクセルが前記ルーマ成分および前記クロマ成分を含むという前記決定に基づいて、３つの色値が前記ビットストリームからパースされるべきであると決定するための手段を備え、ここにおいて、前記現在ブロック中の前記ピクセルを復号するための前記手段は、前記ビットストリームから前記３つの色値を取り出すための手段と、前記３つの色値の各々を、前記ピクセルのそれぞれのルーマ成分およびクロマ成分に割り当てるための手段とを備える、請求項１１に記載のデバイス。
【請求項１４】
前記ビットストリームからパースすべき色値の前記数を決定するための前記手段は、前記現在ブロック中の前記ピクセルが前記ルーマ成分のみを含み、前記クロマ成分のいずれをも含まないという前記決定に基づいて、単一の色値のみが前記ビットストリームからパースされるべきであると決定するための手段を備え、ここにおいて、前記現在ブロック中の前記ピクセルを復号するための前記手段は、前記ビットストリームから前記単一の色値を取り出すための手段と、前記単一の色値を、前記ピクセルの前記ルーマ成分に割り当てるための手段とを備える、請求項１１に記載のデバイス。